(57)【要約】【課題】車種ごとに仕様変更されることなく、搭載される車両の車室内での温度分布を推定でき、これに基づいた駆動条件の補正が可能な表示装置を実現する。【解決手段】車両に搭載された車載センサ１３から温度情報を取得し、車室内の温度分布および表示部１の環境温度を推定する温度分布推定部２１と、当該環境温度に基づき、表示部１を構成する複数の画素の劣化量を推定する劣化推定部２２と、推定された劣化量に基づき、表示部１の駆動条件の補正を行う補正部２５とを有した構成とする。また、記憶部２４には、車種別の複数の温度分布テーブルが格納されており、温度分布推定部２１は、温度情報、表示部１の位置情報および複数の温度分布テーブルのうち表示装置が搭載される車両の車種に対応する所定の温度分布テーブルに基づいて、車室内の温度分布および表示部１の環境温度を推定する。【選択図】図２
2020138572.tif 000002
【特許請求の範囲】
【請求項１】
車載センサ（１３）を備える車両（１０）に搭載される表示装置であって、
自発光素子によりなる複数の画素を有してなり、各種映像を表示する表示部（１）と、
前記車両の車室（１１）内における温度分布、および前記表示部が配置された環境温度を推定する温度分布推定部（２１）と、
前記環境温度に基づき、前記複数の画素の劣化量を推定する劣化推定部（２２）と、
前記車室内における温度分布を推定するために用いられ、車種ごとに異なる複数の温度分布テーブルが格納された記憶部（２４）と、
前記劣化量に基づいて、前記複数の画素の駆動条件の補正を行う補正部（２５）とを備え、
前記温度分布推定部は、前記車載センサから得られる温度情報を取得すると共に、前記表示部の前記車室内における位置情報、前記温度情報および前記複数の温度分布テーブルのうち前記車両の車種に対応した前記温度分布テーブルに基づいて、前記環境温度を推定する、表示装置。
【請求項２】
前記温度分布テーブルを第１温度分布テーブルとして、
前記記憶部には、複数の前記第１温度分布テーブルに加え、前記車両に搭載されたカーエアコンが作動している状況に対応した第２温度分布テーブルが格納されており、
前記温度分布推定部は、前記カーエアコンが作動している場合には、前記第２温度分布テーブルに基づいて前記環境温度を推定する、請求項１に記載の表示装置。
【請求項３】
前記表示部への紫外線照射量を推定する紫外線量推定部（２６）をさらに有し、
前記記憶部には、前記車室内における日射量の分布を推定するために用いられ、車種ごとに異なる複数の日射量分布テーブルが格納されており、
前記紫外線量推定部は、前記車載センサから照度情報を取得すると共に、前記表示部の前記車室内における位置情報、前記照度情報および前記複数の日射量分布テーブルのうち前記車両の車種に対応した前記日射量分布テーブルに基づいて、前記表示部の紫外線量を推定し、
前記劣化推定部は、前記環境温度および前記表示部の紫外線量に基づいて、前記複数の画素の前記劣化量を推定する、請求項１または２に記載の表示装置。
【発明の詳細な説明】
【技術分野】
【０００１】
本発明は、自動車等の車両に搭載され、被搭載車両のセンサを利用して駆動条件を補正する構成とされた表示装置に関する。
【背景技術】
【０００２】
近年、ディスプレイ分野においては、自動車等の車両に搭載され得る様々な表示装置の開発が進んでおり、特に自発光素子である有機発光ダイオード（ＯＬＥＤ）を用いた表示装置は、表示品位を高くできるため、有望視されている。
【０００３】
さて、ＯＬＥＤは、連続して発光させると、その発光時間に応じて発光効率が低下し、同一駆動条件であっても発光輝度が低下する特性があり、発光輝度が大きいほど、すなわち駆動電流値が大きいほど、その特性低下の度合いが大きくなる。また、ＯＬＥＤでは、より高い温度の環境におかれるほど、その特性低下の度合いが大きくなる傾向がある。
【０００４】
ここで、表示装置では、表示部に様々な映像などが表示され、表示部を構成する画素ごとに駆動履歴が異なるのが通常である。そのため、自発光素子により構成された画素ごとに発光特性の低下度合いがばらつき、使用頻度の高い画素が、使用頻度の低い画素よりも劣化が進行して同一の駆動条件であっても輝度差が生じることで焼きついて見える、いわゆる焼きつきが生じてしまう。
【０００５】
このＯＬＥＤによる焼きつきを抑制する方法としては、劣化要因となる電流量の情報および温度情報に基づいて、各画素の駆動条件の補正を行うことが挙げられる。特に車載用途では、温度によるＯＬＥＤの特性低下への影響が大きいため、温度情報に基づく駆動条件の補正が必要である。このような補正が可能な表示装置としては、例えば、特許文献１に記載のものが提案されている。
【０００６】
特許文献１に記載の表示装置は、映像を表示する表示部と、表示部の温度を計測する１つの温度センサと、各画素の電流量および発光時間を取得する手段と、電流量および温度の情報に基づいて各画素の駆動条件を補正する制御手段とを備える。これにより、各画素が電流量および温度の履歴に基づいて駆動条件の補正がなされ、人の視覚上にて違和感が生じない程度に各画素間での輝度差が低減されるため、焼きつきが抑制される。
【先行技術文献】
【特許文献】
【０００７】
【特許文献１】特開２０１１−１１２８８７号公報
【発明の概要】
【発明が解決しようとする課題】
【０００８】
ところで、気温や天候等が同一の環境下であっても、表示装置が搭載される車両は、その車室内の温度分布が車種ごとに異なるのが通常である。ただ、車載用途の表示装置における温度取得部の仕様を車種ごとに変更することは、現実的ではない。そのため、車載用途の表示装置は、温度取得部の仕様を変更せずとも、搭載される車両の車種ごとに、その車室内の温度分布の情報を取得でき、当該情報を補正に反映できる構成とされることが望まれる。
【０００９】
しかしながら、特許文献１に記載の表示装置のように、温度センサを１つだけ有する構成では、車室内の温度分布の情報を取得することが困難であり、補正の精度が低下するおそれがある。また、車室内の温度分布の情報を取得するため、表示装置内の温度センサの数を増やすことも考えられるが、表示装置の大型化や製造コストの増大等が生じるため、好ましくない。
【００１０】
本発明は、上記の点に鑑み、搭載される車種ごとに仕様が変更されることなく、搭載される車両の車室内における温度分布の情報を取得でき、当該情報に基づいて駆動条件の補正が可能な表示装置を提供することを目的とする。
【課題を解決するための手段】
【００１１】
上記目的を達成するため、請求項１に記載の表示装置は、車載センサ（１３）を備える車両（１０）に搭載される表示装置であって、自発光素子によりなる複数の画素を有してなり、各種映像を表示する表示部（１）と、車両の車室（１１）内における温度分布、および表示部が配置された環境温度を推定する温度分布推定部（２１）と、環境温度に基づき、複数の画素の劣化量を推定する劣化推定部（２２）と、車室内における温度分布を推定するために用いられ、車種ごとに異なる複数の温度分布テーブルが格納された記憶部（２４）と、劣化量に基づいて、複数の画素の駆動条件の補正を行う補正部（２５）とを備え、温度分布推定部は、車載センサから得られる温度情報を取得すると共に、表示部の車室内における位置情報、温度情報および複数の温度分布テーブルのうち車両の車種に対応した温度分布テーブルに基づいて、環境温度を推定する。
【００１２】
これによれば、予め車両に搭載された車載センサから得られる温度情報と、車種に対応した温度分布テーブルとにより、車室内の温度分布を推定し、表示部の位置情報からその環境温度を推定する温度分布推定部を有した表示装置となる。また、本表示装置は、これと別体の車載センサから温度情報と取得し、記憶部に格納された複数の温度分布テーブルのうち車種に対応したものを読み込んで温度分布を推定するため、車種ごとにその仕様を変更することなく、環境温度を推定できる構成となる。よって、車種ごとに仕様が変更されることなく、車室内の温度分布および表示部の環境温度を推定し、表示部の駆動条件の補正が可能な表示装置を実現できる。
【００１３】
なお、各構成要素等に付された括弧付きの参照符号は、その構成要素等と後述する実施形態に記載の具体的な構成要素等との対応関係の一例を示すものである。
【図面の簡単な説明】
【００１４】
【図１】自動車に搭載された第１実施形態の表示装置を示す図である。
【図２】図１の表示装置の構成を示すブロック図である。
【図３】ＯＬＥＤによりなる画素における相対輝度と経過時間との関係を示すグラフである。
【図４Ａ】セダンタイプの自動車の車室内における温度分布テーブルの一例を示す図である。
【図４Ｂ】ワンボックスタイプの自動車の車室内における温度分布テーブルの一例を示す図である。
【図４Ｃ】ＳＵＶタイプの自動車の車室内における温度分布テーブルの一例を示す図である。
【図５】図１の表示装置の処理動作の一例を示すフローチャートである。
【図６】セダンタイプの自動車の車室内における温度分布テーブルの一例であって、カーエアコン作動中の状況に対応したものを示す図である。
【図７】第２実施形態の表示装置の処理動作の一例を示すフローチャートである。
【図８】第３実施形態の表示装置の構成を示すブロック図である。
【図９】紫外線照射量と劣化係数との関係の一例を示すグラフである。
【図１０】セダンタイプの自動車の車室内における日射量分布テーブルの一例を示す図である。
【図１１】第３実施形態の表示装置の処理動作の一例を示すフローチャートである。
【図１２Ａ】セダンタイプの自動車の車室内における温度分布テーブルの他の一例を示す図である。
【図１２Ｂ】ワンボックスタイプの自動車の車室内における温度分布テーブルの他の一例を示す図である。
【図１２Ｃ】ＳＵＶタイプの自動車の車室内における温度分布テーブルの他の一例を示す図である。
【発明を実施するための形態】
【００１５】
以下、本発明の実施形態について図に基づいて説明する。なお、以下の各実施形態相互において、互いに同一もしくは均等である部分には、同一符号を付して説明を行う。
【００１６】
（第１実施形態）
第１実施形態の表示装置Ｓ１について、図１、図２を参照して説明する。本実施形態の表示装置Ｓ１は、例えば図１に示すように、自動車等の車両１０に搭載される車載用途に適用され、表示部１がインストルメントパネル１２等に配置される。表示装置Ｓ１は、これとは別体であって、異なる位置に配置された車載センサ１３から温度情報を取得し、当該温度情報を利用して、表示部１の駆動条件の補正を行う構成とされる。
【００１７】
車載センサ１３は、本実施形態では、例えば温度センサであり、車室１１内の任意の箇所に配置され、車室１１内のうち搭載された位置における温度に応じて、温度信号を出力する構成とされる。車載センサ１３は、例えば、ＣＡＮ（Controller Area Networkの略）やＬＩＮ（Local Interconnect Networkの略）等の図示しない任意の車内通信ネットワークを介して表示装置Ｓ１に接続される。車載センサ１３から出力される温度信号は、後述する制御部２に伝送され、車室１１内の温度分布推定に用いられる。
【００１８】
（表示装置の構成）
本実施形態の表示装置Ｓ１は、図１に示すように、自動車等の車両１０の車室１１内、例えばインストルメントパネル１２に配置される表示部１を有し、当該車両１０に搭載された車載センサ１３から得られる信号に基づき、駆動条件を補正する構成とされる。表示装置Ｓ１は、表示部１のほか、図２に示すように、温度分布推定部２１と、劣化推定部２２と、補正量計算部２３と、記憶部２４と、補正部２５とを有してなる制御部２を備える。表示装置Ｓ１は、図示しない車載装置等からの映像信号と、車載センサ１３から得られる温度信号とに基づいて、表示部１の駆動条件の補正を行う。
【００１９】
表示部１は、例えば、自発光素子としてＯＬＥＤとその駆動用の薄膜トランジスタ（ＴＦＴ）とにより構成された、不図示の複数の画素を有してなるＯＬＥＤパネルとされる。表示部１は、不図示の車載装置等からの映像信号、または後述する補正部２５により補正された後の映像信号に基づいて、各種の映像を表示する。表示部１は、例えばイグニッションをＯＮ状態にしたときにＯＮの状態とされ、イグニッションをＯＦＦ状態にしたときにＯＦＦの状態とされるが、これに限定されない。表示部１は、例えば、スピードメータやタコメータ等の各種メータを表示する表示体としてや、各種映像を表示するセンターインフォメーションディスプレイ（ＣＩＤ）やリアモニター等として用いられ、用途に応じて車室１１内の所定の箇所に配置される。
【００２０】
なお、表示装置Ｓ１に映像信号を出力する車載装置としては、例えば、ナビゲーション装置、車載カメラや道路交通情報システムなどが挙げられるが、これらに限定されない。
【００２１】
また、ＯＬＥＤパネルとされた表示部１は、「有機ＥＬディスプレイ」と称され得る。ＯＬＥＤは、例えば、一対の電極間に、正孔注入層、正孔輸送層、発光層、電子輸送層、電子注入層などが順次積層されてなり、電圧を印加することで発光する構成とされる。ＴＦＴは、ゲート電極、ゲート絶縁層、半導体層、ソース電極およびドレイン電極を備え、ゲート電極の電圧調整により電流のオンオフを制御可能な素子であり、ＯＬＥＤの駆動制御などに用いられる。ＯＬＥＤやＴＦＴ並びにＯＬＥＤパネルの構成やこれらの材料などについては、公知であるため、本明細書ではそれらの詳細の説明を省略する。また、ＯＬＥＤの構成については上記した例に限られず、任意の構成が採用され得る。
【００２２】
制御部２は、例えば、表示部１を駆動するための駆動回路を備える図示しない基板上に、図示しない、ＲＯＭやＲＡＭなどの記憶媒体、およびＣＰＵなどが搭載されてなる電子制御ユニットとされる。制御部２は、例えば、図２に示すように、温度分布推定部２１と、劣化推定部２２と、補正量計算部２３と、記憶部２４と、補正部２５とを有してなり、図示しないＣＰＵが記憶部２４に予め格納された各種プログラムを読み込んで実行する構成とされる。
【００２３】
温度分布推定部２１は、図２に示すように、後述する車載センサ１３から得られた温度情報と、記憶部２４に格納されている温度分布テーブルとに基づいて、表示装置Ｓ１が搭載された車室１１内における温度分布を推定する。また、温度分布推定部２１は、推定した車室１１内の温度分布と、表示部１の位置情報とに基づき、表示部１が置かれている環境の温度、すなわち環境温度を推定する。温度分布推定部２１が推定した表示部１の環境温度の情報データは、例えば、劣化推定部２２に出力され、表示部１を構成する各画素の劣化度合いの推定に用いられると共に、必要に応じて、記憶部２４に記憶される。温度分布テーブルおよび温度分布の推定の詳細については、後述する。
【００２４】
なお、表示部１の位置情報は、例えば、ＣＩＤやメータ装置などの表示部１の各種用途に応じて内部データとして記憶部２４に格納され、劣化度合いの推定等に適宜用いられてもよい。また、表示部１の位置情報は、例えば、表示装置Ｓ１の設置の際にユーザ等により設定されてもよいし、車内通信等により、表示部１の車室１１内でのアドレス情報として導出されてもよく、記憶部２４に座標データとして格納されてもよい。
【００２５】
また、表示部１の位置情報は、表示装置Ｓ１の外部、例えばＣＩＤやメータ装置などとしての機能を制御する車体ＥＣＵ（Electronic Control Unitの略）との通信により、外部から取得してもよい。具体的には、例えば、車体ＥＣＵは、表示装置Ｓ１と通信した際に、車体ＥＣＵの記憶部に予め格納された車室１１内の座標データに基づいて表示装置Ｓ１の位置を推定し、推定した位置情報を車内通信によって表示装置Ｓ１の制御部２へ送信する。この場合、表示部１の位置情報は、例えば、表示装置Ｓ１が搭載された車両１０の最初のイグニッションをＯＮ状態にした際に、車体ＥＣＵから車内通信により送信され、その後、記憶部２４に保持され続けてもよい。また、表示部１の位置情報は、表示装置Ｓ１が搭載された後、車両１０のイグニッションをＯＮ状態にした際にその都度、車内通信により送信され、記憶部２４に格納され、毎回更新されてもよい。このように表示部１の位置情報に関する座標データについては、任意の方法により、取得され得る。
【００２６】
劣化推定部２２は、映像信号に基づく各画素の駆動履歴、すなわち通電履歴と、温度分布推定部２１により推定された環境温度の履歴、すなわち温度履歴とに基づき、表示部１を構成する各画素の劣化度合いを推定する。言い換えると、劣化推定部２２は、電流量および温度の影響による各画素のストレス量を推定する。
【００２７】
劣化推定部２２は、例えば、公知のＯＬＥＤの推定寿命方法で用いられる下記の（１）式を推定寿命カーブとして用いて、各画素の劣化度合い、すなわち劣化量を推定する。
【００２８】
Ｌ＝α０×ｅｘｐ（−ｔ×β０）＋α１×ｅｘｐ（−ｔ×β１）・・・（１）
なお、（１）式は、ＯＬＥＤの劣化を劣化量の大きい初期劣化とその後の劣化量の小さい通常劣化との２つの成分に分けて得られる公知の理論式である。また、（１）式では、Ｌは輝度、α０、β０は初期劣化における係数、α１、β１は初期劣化後の通常劣化における係数、ｔは経過時間である。
【００２９】
画素を構成するＯＬＥＤ素子を所定の定電流で駆動した際における、当該ＯＬＥＤ素子の輝度の経時変化の実測値を上記の（１）式に適用して各種係数を算出し、例えば図３に示すように、経過時間と画素の輝度との関係を示す推定寿命カーブを予め作成する。また、ＯＬＥＤ素子について、初期輝度に対応する加速係数や環境温度に対応する加速係数を算出し、電流量や環境温度に対応する各種の推定寿命カーブ、すなわち基準カーブを作成する。劣化推定部２２は、得られた上記の基準カーブのデータに、各画素の経過時間や推定された表示部１の環境温度を適用することで輝度を算出する。これにより、基準カーブを用いて、初期輝度（例えば製品出荷時）に対する現状の輝度、すなわち相対輝度を算出でき、電流量やその際の温度影響による各画素の劣化量を推定できる。
【００３０】
なお、図３における相対輝度は、初期輝度に対する現状の輝度の割合であり、値が小さくなるほど劣化が進行していること、すなわち劣化量が大きいことを示す指標である。また、各画素の通電影響による劣化量の推定は、上記した方法に限定されるものではなく、他の公知の方法が採用されてもよい。さらに、上記では、通電影響による画素の劣化量の推定を例に説明したが、通電していない状態での温度影響による画素の劣化量についても同様の考え方で温度劣化の基準カーブを作成し、温度および経過時間を当該基準カーブに適用することで推定可能である。加えて、経過時間の情報取得については、映像信号の累積データ（履歴）から各画素の駆動時間として算出されてもよいし、車載センサ１３や他の車載装置等に搭載されたタイマー等の時間計測部から得られる時間情報の累積データにより算出されてもよい。
【００３１】
補正量計算部２３は、劣化推定部２２により推定された各画素の劣化度合いに基づき、各画素を所定の輝度とするための駆動条件の補正量を算出する。補正量計算部２３は、例えば、各画素について、所定の階調値（すなわち電流値）における輝度が低下した場合に、低下前の輝度と同程度の輝度とするために必要な階調値を算出する。
【００３２】
記憶部２４は、制御部２で実行される各種プログラムおよび表示部１の環境温度の推定で用いられる複数の後述する温度分布テーブルが記憶されている記憶媒体であり、例えば、図示しないＲＯＭ、ＲＡＭや不揮発性ＲＡＭなどにより構成され得る。記憶部２４は、必要に応じて、各画素の駆動条件などの駆動履歴、制御部２により推定された表示部１の環境温度や表示部１を構成する各画素の劣化度合いなどのデータを記憶する。
【００３３】
補正部２５は、各画素の輝度が所定の値となるように、補正量計算部２３が算出した補正量に基づいて、映像信号の補正、すなわち各画素の駆動条件の補正を行う。各画素の駆動条件の補正としては、例えば、各画素が初期輝度と同程度の輝度となるように電流値を調整したり、各画素が初期輝度から輝度が低下してもこれらの画素の輝度が同程度になる電流値に調整したりするなどの任意の方法が採用され得る。
【００３４】
以上が、本実施形態の表示装置Ｓ１の基本的な構成である。
【００３５】
（温度分布テーブル）
次に、車室１１内の温度分布推定のための温度分布テーブルについて、図４Ａ〜図４Ｃを参照して説明する。図４Ａ〜図４Ｃでは、車室１１内を５℃ごとの温度領域で区画されたものの例について示すと共に、便宜的に、車室１１内の座標Ｘ１、Ｘ２、Ｘ３を黒点で示している。
【００３６】
車室１１の広さや形状等については車種ごとに異なり、これに伴って車室１１内の温度分布も変わるため、車室１１内における温度分布を推定するための温度分布テーブルは、車種ごとに複数用意される必要がある。
【００３７】
例えば、車室１１が乗員空間のみとされ、エンジンルーム、乗員空間および荷室空間がそれぞれ隔離された「セダン」と称されるタイプの車種については、図４Ａに示すような温度分布テーブルとなる。図４Ａに示す例では、車室１１のうちウィンドシールド付近や運転席よりも上部の空間が４５℃、運転席付近の空間が４０℃、ステアリング付近の空間が３５℃、後部座席付近の空間が４０℃、他の空間が３５℃、といった温度分布がデータテーブル化される。
【００３８】
車室１１が乗員空間および荷室空間を有してなり、車両１０が１つの空間を備える「ワンボックス」と称されるタイプの車種については、例えば、図４Ｂに示す温度分布テーブルとなる。
【００３９】
車室１１が乗員空間および荷室空間によりなり、乗員空間および荷室空間とエンジンルームとが隔離されたものであって、「ＳＵＶ（Sport Utility Vehicleの略）」と称されるタイプの車種については、例えば、図４Ｃに示す温度分布テーブルとなる。
【００４０】
上記した例のように、車室１１内の温度分布については車種ごとに異なっているため、車種別の複数の温度分布テーブルが予め作成され、記憶部２４に格納されている。これらの温度分布テーブルは、車種ごとに車室１１内の複数箇所において温度測定を行う等の任意の方法により得られる。
【００４１】
なお、温度分布テーブルは、上記した「セダン」、「ワンボックス」および「ＳＵＶ」の車種に対応したものに限られず、「ミニバン」、「ステーションワゴン」、「クーペ」や「コンパクトカー」等の車種や他の車種に対応したものも用意され得る。また、各車種について、温度の異なる複数の温度分布テーブルが予め作成され、記憶部２４に格納される。
【００４２】
温度分布推定部２１は、車両１０の車種情報、車載センサ１３からの温度情報、対応する温度分布テーブルおよび表示部１の位置情報並びに車載センサ１３の位置情報に基づいて、表示部１の環境温度を推定する。この温度分布テーブルを用いた環境温度の推定については、次の処理動作例において説明する。
【００４３】
（処理動作）
次に、表示装置Ｓ１の処理動作の一例について、図５を参照して説明する。
【００４４】
表示装置Ｓ１は、例えば、車両１０のイグニッションがＯＮ状態となったときに、図５に示す処理動作を行う。
【００４５】
まず、ステップＳ１０１では、例えば、制御部２のうち補正部２５は、図示しない他の車載装置等からの映像信号を受信する。続いて、ＣＰＵは、処理をステップＳ１０２以降に順次進める。
【００４６】
ステップＳ１０２では、温度分布推定部２１は、車載センサ１３（すなわち温度センサ）からその位置情報および温度情報を取得する。具体的には、温度情報とは、例えば、車載センサ１３がその配置された環境の温度に応じて出力される信号、すなわち温度信号である。ここでいう位置情報とは、車載センサ１３が配置された位置の情報であり、例えば車室内における座標データ等とされる。
【００４７】
ステップＳ１０３では、温度分布推定部２１は、表示装置Ｓ１が搭載された車両１０の車種情報を取得する。この車種情報は、例えば、予め記憶部２４に格納された複数の車種についての情報の中から、表示装置Ｓ１が搭載された車両１０に応じてユーザ等により選択された情報である。ユーザ等が選択した車種情報は、記憶部２４に記憶され、必要に応じて図示しないＣＰＵにより読み込まれる。
【００４８】
ステップＳ１０４では、温度分布推定部２１は、車室１１内における表示部１の位置情報を取得する。表示部１の位置情報は、例えば、車両１０に搭載された車内通信を利用し、表示部１の車室１１内におけるアドレス、すなわち座標データを特定するなどの任意の方法により取得され得る。ステップＳ１０４では、温度分布推定部２１は、例えば、図４Ａ〜図４Ｃに示すように、表示装置Ｓ１がメータ装置とされる場合には、座標Ｘ１のデータを、表示装置Ｓ１がＣＩＤとされる場合には、座標Ｘ２のデータを、位置情報として取得する。また、温度分布推定部２１は、例えば、表示装置Ｓ１がリアモニターとされる場合には、座標Ｘ３のデータを位置情報として取得する。
【００４９】
ステップＳ１０５では、温度分布推定部２１は、ステップＳ１０２、Ｓ１０３で取得した温度情報および車種情報に基づき、複数の温度分布テーブルのうち車両１０の車種に対応した温度分布テーブルを選択する。そして、温度分布推定部２１は、選択した温度分布テーブルに基づき、車室１１内における温度分布を推定すると共に、ステップＳ１０４で取得した表示部１の位置情報に基づき、推定した温度分布のうち表示部１がどの温度領域に配置されているかを特定する。温度分布推定部２１は、このようにして特定した、表示部１が置かれた温度領域の温度を環境温度として推定する。
【００５０】
例えば、車種情報が「セダン」、車載センサ１３の位置情報が「ステアリング近傍」、その温度情報が「３５℃」、表示部１の位置情報が「Ｘ２」である場合には、温度分布推定部２１は、図４Ａに示す温度分布テーブルを参照し、環境温度を３５℃と推定する。
【００５１】
なお、温度分布推定部２１は、推定した車室１１内の温度分布に基づき、さらに表示部１のうち複数の画素で構成される一面、すなわち表示面における温度分布（面内温度分布）を推定する構成とされてもよい。この場合、車載センサ１３から得られる１つの代表点の温度情報に基づき、表示面における温度分布を推定することができ、劣化量の推定および補正の精度が向上する効果が期待される。表示部１の面内温度分布を推定する場合、例えば、環境温度と面内温度分布との相関データを温度測定等により予め取得してデータテーブル化し、記憶部２４に格納しておけばよい。そして、温度分布推定部２１は、車室１１内の温度分布および表示部１の環境温度を推定すると共に、当該データテーブルに基づき、表示部１の面内温度分布を推定する構成とされればよい。
【００５２】
ステップＳ１０６では、劣化推定部２２は、表示部１を構成する複数の画素ごとに、それらの劣化量の推定を行う。具体的には、例えば、劣化推定部２２は、記憶部２４に格納された映像信号の累積データ等から各画素の通電履歴および所定の基準カーブを用いて、相対輝度を算出し、通電影響による劣化量を推定する。このとき、劣化推定部２２は、温度分布推定部２１が推定した環境温度に基づき、通電における所定の加速係数を用い、その相対輝度の算出をする。例えば、このようにして、各画素について、通電影響および温度影響による劣化量の推定が行われる。
【００５３】
ステップＳ１０７では、補正量計算部２３は、推定された劣化量に基づき、各画素を所定の輝度とするために必要な階調値、すなわち補正後の階調値を算出する。なお、ここでいう所定の輝度とは、人の視覚上での違和感が生じないように、各画素間の輝度差が所定以下となればよく、初期輝度とされてもよいし、最も劣化量が小さい画素の現状の輝度とされてもよく、任意である。
【００５４】
ステップＳ１０８では、補正部２５は、補正量計算部２３により算出された補正後の階調値に基づき、各画素の駆動条件の補正を行う。これにより、各画素間の輝度差が所定となり、焼きつきが抑制される。
【００５５】
以上が、本実施形態の表示装置Ｓ１の処理動作例である。なお、図５に示した処理動作については、あくまで一例であり、各工程が変更可能な範囲で適宜入れ替えられてもよい。例えば、ステップＳ１０２〜Ｓ１０４の処理は、その順番が変更されてもよい。また、図５の処理動作は、表示装置Ｓ１がＯＮ状態の間において、所定の間隔で繰り返されてもよい。
【００５６】
ここで、内蔵された温度センサにより温度情報を取得し、当該温度情報に基づいて、自発光素子によりなる複数の画素の駆動条件を補正する構成とされた、従来の表示装置は、搭載される車両の車種によっては、その補正精度が低下し得る。
【００５７】
具体的には、温度センサが１つのみの構成とされた場合には、温度センサが配置された部分での温度情報を代表点とし、表示部の温度分布を推定することとなる。また、この場合、１つの代表点に基づき、映像を表示する表示面における温度分布を推定し、各画素の駆動条件の補正を行う。
【００５８】
しかしながら、車種が変わると、その車室内の温度分布も異なるものとなり、１つの代表点のみの温度情報に基づき、表示面の環境温度や温度分布を推定する方法では、車種によっては正確性を欠くおそれがある。そこで、車種ごとに変わる車室内の温度分布に可能な限り対応するためには、内蔵する温度センサの数を増やすことも考えられるが、製造コストが増大するため、好ましくない。
【００５９】
一方、本実施形態の表示装置Ｓ１は、当該表示装置Ｓ１から独立した別個の車載センサ１３から温度情報を取得すると共に、記憶部２４に格納された車種別の複数の温度分布テーブルのうち対応するものを用いて、車室１１内の温度分布を推定する構成とされる。そのため、温度センサを内蔵せずとも、搭載される車両の車種に合わせて車室１１内の温度分布および表示部１の環境温度を推定でき、補正の精度が従来よりも向上する。また、温度センサを内蔵しない構成のため、汎用性が従来よりも高く、製造コストを低減する効果も期待される。
【００６０】
本実施形態によれば、表示装置Ｓ１は、搭載される車種ごとに仕様が変更されることなく、搭載される車両の車室内における温度分布の情報を取得でき、当該温度情報に基づいて駆動条件の補正が可能な構成となる。
【００６１】
（第２実施形態）
第２実施形態の表示装置Ｓ２について、図６、図７を参照して説明する。図６では、図４Ａと同様に、５℃ごとの温度領域に区画された例について示すと共に、図４Ａにおける座標Ｘ１〜Ｘ３に相当する部分を黒点で示している。
【００６２】
本実施形態の表示装置は、制御部２がカーエアコンの制御に用いられる図示しない車体ＥＣＵと接続され、カーエアコンが作動中においては、温度分布テーブルを切り替えた補正を実行する点で上記第１実施形態と相違する。本実施形態では、この相違点について主に説明する。
【００６３】
制御部２は、本実施形態では、図６に示すように表示装置Ｓ２が搭載される車両１０にてカーエアコンが作動中である場合に、カーエアコンによる温度分布の変化を加味した補正を行う構成とされている。具体的には、制御部２は、カーエアコンの駆動制御を行う不図示の車体ＥＣＵと接続されており、カーエアコンの作動の有無や作動条件に関する情報を取得する。ここでいうカーエアコンの作動条件とは、例えば、設定温度、風量、吹出口などが挙げられる。また、本実施形態では、記憶部２４には、例えば図６に示すように、カーエアコンが作動中の状況に対応した複数の温度分布テーブルも格納されている。
【００６４】
以下の説明において、区別のため、便宜的に、カーエアコンが作動中でない場合に用いられる温度分布テーブルを「第１温度分布テーブル」と称し、カーエアコンが作動中の場合に用いられる温度分布テーブルを「第２温度分布テーブル」と称する。
【００６５】
温度分布推定部２１は、本実施形態では、カーエアコンが作動中の場合、これに対応した所定の温度分布テーブルに基づいて、車室１１内の温度分布および表示部１の環境温度を推定する。そのため、カーエアコンが作動中の状況においても、表示部１の環境温度を推定でき、各画素の駆動条件の補正精度がより向上する。
【００６６】
次に、表示装置Ｓ２の処理動作の一例について、図７を参照して説明するが、ここでは、上記第１実施形態と相違する部分について主に述べる。
【００６７】
表示装置Ｓ２は、図７に示すように、図５に示す表示装置Ｓ１での処理工程のうちステップＳ１０５の環境温度の推定よりも前に、カーエアコンが作動中か否か判定し、その状況に応じた温度分布テーブルを選択する点で上記第１実施形態と相違する。
【００６８】
例えば、ステップＳ１０４の位置情報の取得の後、ＣＰＵは、ステップＳ２０１に処理を進める。ステップＳ２０１では、ＣＰＵは、例えば車体ＥＣＵと通信することにより、カーエアコンが作動中であるか否かの判定を行う。
【００６９】
カーエアコンが作動中であると判定された場合、すなわちステップＳ２０１で肯定判定の場合には、ＣＰＵは、処理をステップＳ２０２に進め、環境温度の推定で用いられる温度分布テーブルとして第２温度分布テーブルを選択する。
【００７０】
一方、カーエアコンが作動中ではないと判定された場合、すなわちステップＳ２０１で否定判定の場合には、ＣＰＵは、処理をステップＳ２０３に進め、環境温度の推定で用いられる温度分布テーブルとして第１温度分布テーブルを選択する。
【００７１】
ステップＳ２０２またはＳ２０３の後、ＣＰＵは、処理をステップＳ１０５に進める。本実施形態におけるステップＳ１０５での環境温度の推定の処理は、カーエアコンの作動有無に合わせて、第１温度分布テーブルまたは第２温度分布テーブルを用いる点以外の点については、上記第１実施形態と同様である。例えば、複数の第１温度分布テーブルによりなる第１のデータテーブル群と、複数の第２温度分布テーブルによりなる第２のデータテーブル群とを記憶部２４に別々に格納しておき、ステップＳ２０１の判定結果に応じていずれか一方を選択する等の処理を行う。その後、ＣＰＵは、順次ステップＳ１０６以降の処理を進める。
【００７２】
本実施形態では、上記のような処理動作が行われるが、図７に示す処理動作は、表示装置Ｓ１がＯＮ状態からＯＦＦ状態となるまでの間、所定の間隔で繰り返される。これにより、ユーザがカーエアコンを作動させた場合であっても、これによる影響を加味した表示部１の環境温度を推定でき、補正精度の低下を抑制できる。
【００７３】
なお、所定の間隔は、制御部２が図示しない他の車載装置から時間情報を取得できない場合には、予め設定されるが、時間情報を取得できる場合には、当該時間情報に基づいて決定されてもよい。
【００７４】
本実施形態によれば、上記第１実施形態と同様の効果が得られることに加え、階調値が過度に大きくされることを抑制し、見栄えの悪化や劣化促進を抑止する効果も期待される。
【００７５】
具体的には、仮に、温度分布推定部２１が、カーエアコンが作動中の状況において、環境温度を誤って高く推定した場合には、劣化推定部２２は、実際の劣化量よりも劣化量が大きいと推定することとなる。すると、補正量計算部２３が算出する補正後の階調値は、実際に必要な階調値よりも大きい値となる。この結果、各画素は、実際に必要な階調値よりも大きい階調値で駆動させられ、劣化が促進されてしまう。また、各画素の階調値が必要以上に大きくなることで、各画素間の輝度差が所定よりも大きくなり、視覚上での違和感が生じてしまうことが懸念される。
【００７６】
しかしながら、本実施形態の表示装置Ｓ２は、カーエアコンが作動中の状況においては、第１温度分布テーブルではなく、当該状況に対応した第２温度分布テーブルを用いて環境温度を推定し、劣化量および補正量を算出し、補正を実行する構成とされる。そのため、環境温度を実際の表示部１の温度よりも所定以上に高く推定することが抑制され、推定した劣化量と実際の劣化量との間に乖離が生じにくくなり、適切な補正が可能な構成となる。よって、上記の効果が期待される表示装置Ｓ２となる。
【００７７】
（第３実施形態）
第３実施形態の表示装置について、図８〜図１１を参照して説明する。図１０では、図４Ａの座標Ｘ１〜Ｘ３に相当する部分を黒点で示している。
【００７８】
本実施形態の表示装置は、車載センサ１３として温度センサのほか、照度センサも搭載された車両１０に搭載される。また、本表示装置は、図８に示すように、制御部２が、当該照度センサから日射量の情報を取得し、表示部１への紫外線照射量を推定する紫外線量推定部２６を有してなる。さらに、本表示装置は、劣化推定部２２が、通電および温度に加え、紫外線の影響を加味したＯＬＥＤの劣化量推定を行い、補正部２５がこの推定された劣化量に基づいて補正を行う構成とされている。本表示装置は、上記した点で上記第１実施形態と相違する。本実施形態では、これらの相違点について主に説明する。
【００７９】
本実施形態では、表示装置Ｓ３が搭載される車両１０は、複数の車載センサ１３が搭載されている。複数の車載センサ１３には、少なくとも温度センサおよび照度センサが含まれている。
【００８０】
ここで、ＯＬＥＤは、紫外線によっても劣化することが知られている。特に車載用途のように、直射日光の影響が大きい環境においては、通電影響および温度影響に加えて、紫外線影響を考慮することで、ＯＬＥＤの劣化量の推定精度がさらに向上し、ひいては補正精度も向上する。そのため、本実施形態の表示装置Ｓ３は、制御部２が、この紫外線影響を加味した各画素の劣化量の推定および駆動条件の補正を実行する構成とされている。
【００８１】
制御部２は、本実施形態では、図８に示すように、複数の車載センサ１３に接続されると共に、照度センサとされた車載センサ１３から照度情報を取得する紫外線量推定部２６を有してなる。
【００８２】
本実施形態では、記憶部２４には、例えば図９に示すように、紫外線量とＯＬＥＤの劣化係数との相関データ（以下、単に「紫外線劣化データ」という）が格納されている。この紫外線劣化データは、例えばＯＬＥＤに紫外線を照射し、その線量に対する輝度の低下度合いを測定する等の方法により得られる。
【００８３】
また、記憶部２４には、例えば図１０に示すように、車種ごとの車室１１内における日射量分布テーブルが複数格納されている。日射量分布テーブルは、例えば、図１０に示すように、Ｒ１、Ｒ２、Ｒ３（Ｒ１＞Ｒ２＞Ｒ３）といった具合に日射量ごとの分布がデータテーブル化されたものであり、温度分布テーブルと同様に、車種ごとに予め作成される。紫外線劣化データおよび日射量分布テーブルは、紫外線量推定部２６による表示部１の紫外線量推定に用いられる。
【００８４】
紫外線量推定部２６は、車載センサ１３のうち照度センサから照度情報を取得すると共に、当該照度情報と搭載された車両１０の車種に対応した日射量分布テーブルとにより、表示部１の紫外線量を推定する。紫外線量推定部２６は、例えば、図１１に示す処理動作により紫外線量を推定する。
【００８５】
ステップＳ３０１では、紫外線量推定部２６は、車載センサ１３から照度情報を取得し、日射量を算出する。続いて、紫外線量推定部２６は、上記第１実施形態と同様に、ステップＳ１０３、Ｓ１０４にて、表示装置Ｓ３が搭載される車両１０の車種情報と表示部１の位置情報を取得する。
【００８６】
続けて、ステップＳ３０２では、紫外線量推定部２６は、当該日射量と車種情報とにより、対応する所定の日射量分布テーブルを選択する。
【００８７】
その後、ステップＳ３０３では、紫外線量推定部２６は、日射量分布テーブルに基づいて、車室１１内の日射量分布を推定すると共に、表示部１の位置情報に基づいて、表示部１の日射量を推定する。そして、紫外線量推定部２６は、推定した日射量に所定の割合、例えば太陽光に含まれる紫外線の割合（限定するものではないが、１０％など）を乗じて得た値を紫外線量として推定する。このようにして推定された紫外線量は、記憶部２４に記憶され、必要に応じて劣化推定部２２での劣化量推定に用いられる。
【００８８】
劣化推定部２２は、本実施形態では、推定された紫外線量を、図９に示す紫外線量と劣化係数との相関データに当てはめ、劣化係数を算出する。劣化推定部２２は、例えば、この劣化係数を紫外線影響による加速係数とし、この加速係数と上記第１実施形態で述べた基準カーブとを用いて相対輝度、すなわち劣化量を算出する。これにより、劣化推定部２２は、通電影響および温度影響に加えて、紫外線影響を加味したＯＬＥＤの劣化量を推定することができる。
【００８９】
そして、補正量計算部２３がこの劣化量に基づいて補正後の階調値を算出し、補正部２５が表示部１の駆動条件を補正することで、表示部１における焼きつきをより効果的に抑制することができる。
【００９０】
本実施形態によれば、上記第１実施形態の効果が得られることに加えて、紫外線による影響を加味した、より補正精度が向上した表示装置Ｓ３となる。なお、本実施形態の表示装置Ｓ３は、上記第２実施形態の表示装置Ｓ２と組み合わせられてもよい。
【００９１】
（他の実施形態）
なお、上記した各実施形態に示した表示装置は、本発明の表示装置の一例を示したものであり、上記の各実施形態に限定されるものではなく、特許請求の範囲に記載した範囲内において適宜変更が可能である。
【００９２】
（１）例えば、上記第１実施形態では、図４Ａ〜図４Ｃに示す車種ごとの温度分布テーブルを用いる例について説明したが、これに限定されるものではない。例えば、車室１１内の温度は、図１２Ａ〜図１２Ｃに示すように、鉛直方向における上部分と下部分とで異なる傾向の温度分布を持つことがあり、必要に応じて、これらのような温度分布テーブルが用いられてもよい。これにより、車室１１内の温度分布および表示部１の環境温度の推定精度が向上し、ひいては、補正部２５による補正精度がより向上した表示装置となる。
【００９３】
なお、図１２Ａ〜図１２Ｃでは、図４Ａと同様に５℃ごとに温度領域が区分された例について示したが、これに限定されるものではなく、温度領域を区分する温度については適宜変更され得る。また、図１２Ａ〜図１２Ｃでは、図４Ａにおける座標Ｘ１〜Ｘ３に相当する部分を黒点で示している。
【００９４】
（２）上記第１実施形態では、車種それぞれについて、温度別の複数の温度分布テーブルが記憶部２４に格納され、必要に応じて、不図示のＣＰＵに読み込まれる例について説明した。しかしながら、車種それぞれにつき１つの代表の温度分布テーブルを用意し、車載センサ１３から取得した温度に応じて異なる補正係数を乗じて得た値を環境温度として推定する方式であってもよい。この場合、車種の数だけの複数の温度分布テーブルと共に、補正係数を記憶部２４に格納すればよく、データ容量の削減が可能となる。このように、温度分布テーブルの数については、データ容量の観点から適宜変更されてもよい。
【符号の説明】
【００９５】
１    表示部
１０  車両
１１  車室
１３  車載センサ
２１  温度分布推定部
２２  劣化推定
２４  記憶部
２５  補正部
２６  紫外線量推定部
【図１】
2020138572.tif 000003
【図２】
2020138572.tif 000004
【図３】
2020138572.tif 000005
【図４Ａ】
2020138572.tif 000006
【図４Ｂ】
2020138572.tif 000007
【図４Ｃ】
2020138572.tif 000008
【図５】
2020138572.tif 000009
【図６】
2020138572.tif 000010
【図７】
2020138572.tif 000011
【図８】
2020138572.tif 000012
【図９】
2020138572.tif 000013
【図１０】
2020138572.tif 000014
【図１１】
2020138572.tif 000015
【図１２Ａ】
2020138572.tif 000016
【図１２Ｂ】
2020138572.tif 000017
【図１２Ｃ】
2020138572.tif 000018